Podtech/llm-jp-corpus-v4-ja_patent huggingface dataset:
(57)【要約】      （修正有）【課題】指を使って直接、梅干しから種を取り除き果肉を集める場合、果肉が種にまとわりついていて意外に綺麗に取れにくかったり、取れても果肉が指にこびりついてきて無駄が多かった。本発明は、手指を汚さずに梅干しの果肉と種を切り離し、そのまま容器ごと保存を可能にする安価な梅干し種取り器を提供する。【解決手段】弾力性があり透明な三角袋状の容器の中に入れた梅干を、容器外側から指でしごいて果肉と種を切り離すもので、袋の三角には梅干し投入口２、果肉絞り出し口４および種取り出し口６を形成し、それぞれの口の外側には蓋３，５，７を設けた梅干しの種取り器１である。【選択図】図１
2013081625.tif 000002
【特許請求の範囲】
【請求項１】
三角袋状をした透明なフッ素樹脂のフィルム製容器であって、袋の三角には梅干し投入口、果肉絞り出し口および種取り出し口を形成し、それぞれの口の外側には蓋を設けた梅干し種取り器。
【発明の詳細な説明】
【技術分野】
【０００１】
本発明は、梅干しから種を取り除くための種取り器に関するものである。
【背景技術】
【０００２】
従来、梅干しから種を取り除くには指を使って梅干の実を開き、開いた部分から種を取り出していた。なお、特許文献１や特許文献２などの器械を使った梅干しの種取り器もが知られている。
【先行技術文献】
【特許文献】
【０００３】
【特許文献１】特開２００５−２７９２１１号公報
【特許文献２】特開２００１−２９９３１０号公報
【発明の概要】
【発明が解決しようとする課題】
【０００４】
しかし、指を使って直接、梅干しから種を取り除く場合、取りのぞこうとする種に果肉の一部がまとわりついて、種が綺麗に取りのぞかれなかったり、取れても果肉が指にこびりついてきて果肉が予想以上に少なくなるという無駄が多かった。
【０００５】
本発明は、以上の問題点を解決するためになされたものである。
【課題を解決するための手段】
【０００６】
本発明では、弾力性に富み手でもむことで変形可能な透明材料から成る袋状容器に、大きさの異なる３種類の孔を開け、それぞれの孔の外側には蓋を取り付けて３種類の孔を梅干し投入口、果肉絞り出し口および種取り出し口とした。容器内に梅干を複数個あるいは１個ずつ投入して指で容器を変形させることで容器内の梅干を押し潰したり、揉みしごいたり、種と果肉を引き離したりするものである。この後、容器自体を手でもみながら、果肉から分離した種を種取り出し口まで容器内を移動させ、種のみを種取り出し口から容器外に吐き出すものである。
【発明の効果】
【０００７】
本発明は、以上のような種取り器であるので、梅干から種を取り出すに当たって指は直接梅干に触れることはないので汚さず、手で容器をもむことで種取り作業をすることができる。さらにこの梅干し種取り器自体が種を取り除いた梅干の保存容器にもなるため、果肉の入った器を一々洗う必要がなく、保管に手間もかからない。加えて使用により果肉が減った場合には、容器内に追加の梅干を投入して前記同様の種取り操作を行えば、継続して種を取り除いた梅干の果肉を補充できる。
【図面の簡単な説明】
【０００８】
【図１】本発明の種取り器の斜視図
【図２】同種取り器で果肉から種を取り出す際の説明図
【図３】同種取り器の容器内から種を取り出す際の説明図
【図４】同種取り器の容器内から果肉を絞り出す際の説明図
【発明を実施するための形態】
【０００９】
以下、本発明の実施の形態を説明する。
【００１０】
この発明の梅干しの種取り器（１）は、三角袋状をした透明なフッ素樹脂のフィルム製容器であり、袋内側には梅干から種を取り除く作業場（８）を形成し、袋の三角は他の部分よりもフィルム厚さを厚くして剛性を持たせ、ここに梅干し投入口（２）、果肉絞り出し口（４）および種取り出し口（６）をそれぞれ設けた構成である。それぞれの口（２、４、６）の外側には、口の大きさに応じた蓋（３、５、７）を設けている。
【００１１】
本発明の種取り器を使用するときには、梅干し投入口（２）の蓋（３）を開けて梅干しを容器内に入れ、再び蓋（３）を閉める。弾力性に富んだ変形可能な透明なフッ素樹脂からなる三角袋状の容器内側中央の作業場（８）において、両手の指を使って梅干しの果肉から種を抜き取り、種についている果肉もしごき取る。種取り出し口（６）の蓋（７）を開けて種を袋内部から押し出し、押し出しが終えてから再び蓋（７）を閉める。果肉は皮と肉とに選り分けて果肉絞り出し口（４）から絞り出す。選り分ける必要のない場合は果肉が口（４）が詰まらないように、より口径の大きい種取り出し口（６）を利用してもよい。それぞれの蓋（３），（５），（７）の差し込み部分は長めに設計されているので口に詰まった皮を押し込むこともできる。使用後、梅干し種取り器（１）に残った果肉は容器ごと保管して後日の使用に備える。
【符号の説明】
【００１２】
１  梅干し種取り器
２  梅干し投入口
３  蓋Ａ
４  果肉絞り出し口
５  蓋Ｂ
６  種取り出し口
７  蓋Ｃ
８  作業場
【図１】
2013081625.tif 000003
【図２】
2013081625.tif 000004
【図３】
2013081625.tif 000005
【図４】
2013081625.tif 000006
(57)【要約】【課題】コードレス電動工具に使用しているリチウムイオンバッテリーからポータブル端末への充電は出来なかった。本発明はコードレス電動工具に使用しているリチウムイオンバッテリーから、ポータブル端末に充電する事を可能にしました。【解決手段】本体の下部に接続端子を設け、本体側面にＵＳＢポートを設けたリチウムイオンバッテリー携帯アダプター。【選択図】図１
2013183624.tif 000002
【特許請求の範囲】
【請求項１】
本体の下部に接続端子を設け、本体側面にＵＳＢポートを設けたリチウムイオンバッテリー携帯アダプター。
【発明の詳細な説明】
【技術分野】
【０００１】本発明はコードレス電動工具に使用しているリチウムイオンバッテリーからポータブル端末へ充電するためのリチウムイオンバッテリー携帯アダプターに関するものである。【０００２】従来ポータブル端末の充電には家庭用コンセント充電器、車のシガーソケット充電器、乾電池式充電器、リチウムポリマー充電器を使用している。
【先行技術文献】
【特許文献】
【０００３】
【発明の概要】
【発明が解決しようとする課題】
【０００４】コードレス電動工具に使用しているリチウムイオンバッテリーからポータブル端末への充電は出来なかった。
本発明は以上の問題点を解決するものである。
【課題を解決するための手段】
【０００５】本体の下部に接続端子を設け、本体側面にＵＳＢポートを設ける。
以上の構成よりなるリチウムイオンバッテリー携帯アダプター。
【発明の効果】
【０００６】従来コードレス電動工具に使用しているリチウムイオンバッテリーからポータブル端末を充電する事は出来なかった。
本発明はコードレス電動工具に使用しているリチウムイオンバッテリーから、ポータブル端末に充電する事を可能にしました。
【図面の簡単な説明】
【０００７】
【図１】本発明の斜視図
【図２】本発明の使用状態を示す斜視図
【発明を実施するための形態】
【０００８】以下、本発明の実施の形態を説明する。
（イ）本体（１）の側面にＵＳＢポート（２）を設ける。
（ロ）本体（１）の下部に接続端子（３）を設ける。
本発明は以上のような構造である。
本発明を使用する時は、リチウムイオンバッテリー（４）に本体（１）を取り付ける。この時リチウムイオンバッテリー（４）のメス端子に本体（１）の接続端子（３）を挿入する。
本体（１）の側面にあるＵＳＢポート（２）にＵＳＢ充電ケーブル（５）を挿入しポータブル端末を充電する。
【符号の説明】
【０００９】  １、本体
２、ＵＳＢポート
３、接続端子
４、リチウムイオンバッテリー
５、ＵＳＢ充電ケーブル
【図１】
2013183624.tif 000003
【図２】
2013183624.tif 000004
(57)【要約】【課題】発電において波形を遅らせる事がなかなか出来ませんでしたが  磁石と固定子とコイルの組み合わせやその数と左右の関係で９０°波形を遅くする事が出来ます波形を遅らせＮ極にＳの波形の電流が流れＮ極の中心より反発のＮの波形の電流が出る事で軽く回ります【解決手段】鉄板に固定子と磁石が向き合う間をソレノイドコイルが磁石と固定子を一緒に通過して出る電流を固定子コイルを通すと負荷が減ります  同じ磁石と固定子が向き合う時は左右の固定子コイルを通すと軽く回ります【選択図】図１
2013183623.tif 000002
【特許請求の範囲】
【請求項１】
磁石と固定子をソレノイドコイルが一緒に通過する出る電流を固定子コイルを通す
【請求項２】
ソレノイドコイルに空間を２ヶ所以上作る
【請求項３】
固定子の先端に磁石を左右の固定子にまたがって付けた異極を向き合わせた間をソレノイドコイルを通過させる
【発明の詳細な説明】
【技術分野】
【０００１】負荷を減らす発電機
【背景技術】
【０００２】ソレノイドコイルを回転子にすると鉄心がなく軽く回るが直結すると重くあまり回りません  本発明はこれを軽く回る様にしました
【先行技術文献】
【特許文献】
【０００３】
【特許文献１】文献ＵＳ２００４０１３５４５２Ａ１  識別番号５０８２５０９８１特願２０１１８４８９２
【発明の概要】
【発明が解決しようとする課題】
【０００４】この負荷をなくすには回転子の鉄心を無くし磁石に吸引して中心より反発する様にすることが必要です【０００５】本発明は磁石と固定子をソレノイドコイルが一緒に通過するとコイルに負荷が発生します  出る電流を固定子コイルに流し回転方向に反発する磁力を作り相殺させます  これにより軽く回りますが電流を直結して配線を変えても軽く回るのは波形が遅れている為です  Ｎ極に向かってコイルの右側が通過すると右側に＋の電流が流れます  磁石と固定子を一緒の時は−の電流が流れます【０００６】鉄板に磁石と固定子が向き合う間をソレノイドが一緒に通過する時固定子コイルに電流を流すと波形が９０°遅れて軽く回る同じ磁石と固定子が向き合うときは左右の枠の固定子コイルを通す固定子コイルは左巻き右巻きにする
【課題を解決するための手段】
【０００７】鉄の円筒を横にして水平方向に磁石と固定子を並べ外枠にする  この中に入る回転子は磁気誘導のない物で回転筒を作り回転軸に取り付け  その回転筒の外側か内側にソレノイドコイルを磁石の数だけつけます  回転筒の中の空間に磁石に吸引する鉄板の円筒を入れ自由に回るようにして蓋をした回転筒を外枠に配置して回転させます【０００８】円盤形で同じ磁石と固定子が向き合う時軸方向縦に取り付け左右の枠の異極を向き合わせその間をソレノイドコイルを通過させ出る電流を左右の固定子コイルを通す【０００９】円盤形で固定子の先端に磁石を左右の固定子にまたがって付けて左右の枠に取り付けて異極を向き合わせる  その間を８の字のコイルを横にして磁石を通過させて出る電流を左右の固定子コイルを通すと軽く回る  これは回転子コイルの磁力が固定子コイルに及ばないのに軽いのは波形が遅れている為です  これも一緒に通過と同じことです【００１０】ソレノイドコイルに２ヶ所以上の空間を作るソレノイドコイルは交差絞るねじるなどして固定子を通過する時の磁力を強めコイルのかさなりを減らす又ソレノイドコイルは縦でも横でも使用出来る【００１１】ソレノイドコイルを磁石の数の半分にする時は固定子にかかる所のコイルを左右の固定子の半分まで横長にするか輪を交差させて２ヶ所作ります【００１２】円筒形の時固定子を中心に左右にソレノイドコイルを互い違いに付けてソレノイドコイルを半分の数にしても良い
【発明の効果】
【００１３】波形を遅らせる事で回転が軽くなり小型で多くの発電が出来ます  負荷が少ないことは原油などエネルギーが少なくて済み莫大な資本も必要ありません
【発明を実施するための形態】
【００１４】鉄筒（１）に向き合う磁石（２）と固定子（３）の間をソレノイドコイル（５）が磁石（２）と固定子（３）を一緒に通過する
【００１５】鉄の円筒（１）の外枠を横にして水平方向に磁石（２）と固定子（３）を複数並べて外枠（１）とします  回転子は磁気誘導のない物で回転筒（４）を作り回転軸（７）に取り付けその回転筒（４）の内側か外側にソレノイドコイル（５）を付ける回転筒（４）の中の空いた所に鉄板の鉄筒（６）を入れて自由に回る様にした回転筒（４）を外枠（１）の中に配置して回す
【００１６】円盤形で同じ磁石（２）と固定子（３）が左右の枠（１）に向き合う時回転軸（７）の方向縦に付けてその間をソレノイドコイル（５）を通すソレノイドコイ（５）は磁石（２）に１個付けてソレノイドコイル（５）より出る電流を左右の固定子コイル（３）を通す
【００１７】円盤形で固定子（３）の先端に磁石（２）を左右の固定子（３）にまたがって付けて左右の枠（１）を向き合わせてその間をソレノイドコイル（５）を通過させて出る電流を固定子コイル（３）の左右を通す
【００１８】ソレノイドコイル（５）は交差（Ａ）絞る（Ｂ）ダブル交差（Ｃ）ねじる事で固定子（３）を通過する所の磁力を強めてコイルのかさなりを減らす
【図面の簡単な説明】
【００１９】
【図１】鉄筒に磁石と固定子が向き合う組み立て図
【図２】同じ磁石と固定子が向き合う分解図
【図３】ソレノイドコイルの作り方と配置図
【符号の説明】
【００２０】  １    外枠
２    磁石
３    固定子
４    回転筒
５    ソレノイドコイル  ＡＢＣ
６    鉄筒
７    回転軸
８    接点
９    交流
１０    回転盤
【図１】
2013183623.tif 000003
【図２】
2013183623.tif 000004
【図３】
2013183623.tif 000005
(57)【要約】【課題】リクライニングチェアなどに付属しているオットマン（足載せ台）は椅子本体に取付固定されているタイプか、または椅子から分離されて自由移動できるタイプかである。後者の分離タイプではオットマンを適正な位置に置いて脚を自由に曲げ伸ばしして足載せでき、よりリラックスできる効果がある。しかし、しばらく脚を載せ降ろししているうちにオットマンが椅子からの適正な位置から離れてしまい、その都度オットマンを引き寄せる動作をする不便があった。その不便を解消する有効な用具がありませんでした。【解決手段】オットマン（足載せ台）が椅子本体と分離したタイプで、オットマンの脚部（または土台）と椅子の脚部（または土台）をベルト状の本発明品で回し繋いで結合し、オットマンが椅子からの適正な位置から離れてしまうのを防ぐ。【選択図】図２
2013183973.tif 000002
【特許請求の範囲】
【請求項１】
オットマン（足載せ台）が椅子から分離したタイプで、オットマンの脚部（または土台部）と椅子の脚部（または土台部）をベルトで回し繋いで結合しオットマンが適正位置からずれないようにする用具。
【発明の詳細な説明】
【技術分野】
【０００１】
オットマンの位置が、ずれて移動するのを防止するに関する。
【背景技術】
【０００２】
オットマンの位置が、ずれて移動するのを防止する専用の用具はありませんでした。
【０００３】
したがって、オットマンを位置ずれさせないために、オットマンの接地面に滑り止め具を装着するか、壁や机などの固定物によって支えるか、などで対処していた。
【０００４】
しかしオットマンの接地面に滑り止め具を装着する方法では、オットマンに脚を載せて押す力による位置ずれを十分に防ぐことができない。
【先行技術文献】
【特許文献】
【０００５】
【特許文献１】特許公開２００１−２９２８６４
【特許文献２】特許公開平９−２７６０７９
【発明の概要】
【発明が解決しようとする課題】
【０００６】
オットマンに脚を載せ下ろしたり、脚を載せて姿勢を変えるうちに、どうしてもオットマンが椅子から離れてしまう。
【０００７】
このため、使用者はたびたびオットマンを最適の位置に引寄せなければならず、煩わしく安息を妨げるものであった。
【課題を解決するための手段】
【０００８】
本発明は、オットマンが椅子からずれて離れるのを防ぐために椅子とオットマンとをベルトで結ぶことを主要な特徴とする。
【発明の効果】
【０００９】
本発明のベルトは、椅子の使用者がオットマンを適正な位置に引き寄せる煩わしい動作を不要にさせ、快適に休息できる効果がある。
【図面の簡単な説明】
【００１０】
【図１】本発明の正面図（表側、裏側）および側面図である。
【図２】リクライニングチェアとオットマンを結び合わす本発明の実施形態を示す斜視画像、および側面から見た画像である。
【図３】本発明のピンによる結合を現す実施形態の画像である。
【発明を実施するための形態】
【００１１】
以下、図面を用いて本発明品の実施の形態を説明する。
図１のA〜Cは本発明品図であり、バックル１、ピン２、孔３、ベルト留め４、ベルト５から構成されている。
【００１２】
ベルト５は２m程度、幅３cm、厚さ2〜3mmの合成皮革からなる。
【００１３】
バックル１はベルト５の一端に取り付けられ、4cm x 3cmの長方形リング状の金具である。
【００１４】
ピン２は、バックル１の中央に取付けられる棒状金具である。
【００１５】
孔３は、ベルトに複数個空けられて強度を保つためにリング状の金具で補強されている。
【実施例】
【００１６】
図２に示されるようにベルト５をリクライニングチェアの脚とオットマンの脚に回して巻きつける。
【００１７】
図３に示すようにバックル１にベルト５の一端を通し、ベルト５が弛まないように孔３にピン２を差込む。
【００１８】
バックル１を通して残ったベルト５をベルト留め具４に通す。
【００１９】
本発明品によってリクライニングチェアとオットマンを結び付けた実施例が図２である。
【産業上の利用可能性】
【００２０】
リクライニングチェアなどでオットマンが椅子と分離しているタイプであれば利用可能である。既存のリクライニングチェアやこれから市販されるリクライニングチェアに利用することによってリクライニングチェアの普及に寄与できる。
【符号の説明】
【００２１】
1          バックル
2          ピン
3          孔
4          ベルト留め
5          ベルト
【図１】
2013183973.tif 000003
【図２】
2013183973.tif 000004
【図３】
2013183973.tif 000005
(57)【要約】【課題】靴をながく履いていると足が蒸れて水虫や被れたりする事を課題とします。【解決手段】靴の中の蒸れた空気の出る所がなく足が蒸れて困っている人が多いいので、蒸れた空気の出入り出来る様に通気口になるパイプじょうで少し押えてもつぶれず弾力性のある物の上下を通気性のある物でおおい、左右の足の甲部から足首に掛けて取り付ける様にした通気口になる靴の蒸れを防ぐ物を付けて、歩けば歩くほど足の指と甲の所がポンプの役目をして蒸れた空気と新しい空気が出入りして足が蒸れなく水虫や被れたりしにくいので足を気にせず気持よく過せる。【選択図】図１
2013183954.tif 000002
【特許請求の範囲】
【請求項１】
左右の足の甲部から足首にかけて弾力性があり少し押えてもつぶれなく空気が出入りするパイプじょうの物を上下に通気性のある物で覆い足の甲から足首に着けられる様にした空気抜き。
【発明の詳細な説明】
【技術分野】
【０００１】
本発明は、左右の足と靴の中の蒸れを防ぐ為のものです。
【背景技術】
【０００２】
従来の靴蒸れ防止具は中敷や、靴の底や横に細工して蒸れを防いでいるものがある(例えば特許文献１参照。)。
また  靴底や横に加工して蒸れを予防しているものがある(例えば非特許文献１参照。)。
【先行技術文献】
【特許文献】
【０００３】
【特許文献１】特開平０６−２９６５０７号公報
【非特許文献】
【０００４】
【非特許文献１】蒸れ防止用靴
【発明の概要】
【発明が解決しようとする課題】
【０００５】
今までの靴蒸れ防止具は、中敷や靴の横を加工して作られていますが、足の蒸れが取れない、この事を課題とします。
【課題を解決するための手段】
【０００６】
足の甲部と靴の中の甲部の間に付ける空気が通り少し押えてもつぶれなく弾力性のあるパイプじょうの物で出来た空気抜き、靴の蒸れ防ぐ物を着けて、歩けば歩くほど、足の指と甲の部分がポンプの役目をして、左右の足の甲部と足首に付けたパイプじょうの所から空気が出入りして足が蒸れない。
【発明の効果】
【０００７】
今までの色々な蒸れ止は、熱い空気は上に揚がるので足の甲部と靴の中の甲部に邪魔され熱い空気が外へ出れなく足が蒸れていた。
この考案は  熱い空気が上に揚がるのをりょうして、足の甲部と靴の中の甲部の間に、弾力性があり少し押えてもつぶれないパイプじょうの通気口を付けた事で、歩くたびに足の指と甲部とがポンプの役目をして通気口から空気が出入りして足が蒸れない。
【図面の簡単な説明】
【０００８】
【図１】本発明の実施形態を示す本体図の前を一部開き分りやすく画いた図を上から見た図。
【図２】本発明の実施形態を示す横から見た図。
【図３】本発明の実施形態の前から見た図。
【図４】本発明の使い方を示す為に靴を半分に切って取り付け方を示した図。
【発明を実施するための形態】
【０００９】
図１で示す様に空気が出入りする複数のパイプじょうの物で弾力性があり少し押えてもつぶれない物を通気性のあるもので覆い、左右の足の甲から足首の掛けて取り付けられるようにした物。
【実施例】
【００１０】
空気が出入りする複数のパイプじょうで弾力性があり少し押えてもつぶれない物で出来た靴の蒸れを防ぐ物は足の甲から足首に付け靴を履き、歩けば歩くほど指先と甲がポンプの役目をして、空気が出入りして足が蒸れない。
【産業上の利用可能性】
【００１１】
足が蒸れて困っている人、全てに使える、空気が出入りする複数のパイプじょうで弾力性があり少し押えてもつぶれない物で出来た靴の蒸れ防ぐ物は、歩けば歩くほど指先と足の甲の部分と足首とがポンプの役目をして空気が出入りして左右の靴の中が蒸れない。、  
【符号の説明】
【００１２】
図１は  靴の蒸れを防ぐ物を分りやすくする為に一部開いた図を上から見た図。    
図２は  靴の蒸れを防ぐ物を横からにた図。  
図３は  靴の蒸れを防ぐ物を前から見た図。
図４は  靴の蒸れを防ぐ物の取り付け方を分りやすく靴を切って示した図。
１は靴の蒸れを防ぐ物のパイプじぅおうの物の上の覆い。
２は靴の蒸れを防ぐ物の空気が通る穴を弾力性があり少し押えてもつぶれない物で出来た支え。
３は靴の蒸れを防ぐ物の空気が出入りする穴。
４は靴の蒸れを防ぐ物の下の覆い。
５は靴。
６は靴の蒸れを防ぐ物を取り付けた所が。
７は足。
Ａは  靴の蒸れを防ぐ物の上部を一部開き中が分かる様にした所。
【図１】
2013183954.tif 000003
【図２】
2013183954.tif 000004
【図３】
2013183954.tif 000005
【図４】
2013183954.tif 000006
(57)【要約】【課題】オトリ魚を用いた釣りにおいて、オトリ魚を弱らせることがないように傷つけず、さらに素早く簡単に仕掛け用フックの脱着を行い、そして確実にイカなどを釣ることができる仕掛けを提供する。【解決手段】［図１］のサイドレバークリップ本体１のレバー３に、フック（つり針）２をリング止め具４にて固定する。クリップレバー３は目立たないよう短くし、また本体１の背６とはさみ口７の両サイドはオトリ魚の背びれ及び尾ひれが動きやすいように斜めにカットした。フック２は、クリップレバー３の支点のツメ５がストッパーとなり、オトリ魚の尾ひれの動きによる戻り開きは少なくなっているので、フックが上方向に戻ることはない。【選択図】図１
2013183728.tif 000002
【特許請求の範囲】
【請求項１】
サイドレバークリップの背と、はさみ口の角の部分をカットし、目立たないよう小さくしたクリップレバーに、片側およそ１２０度以内に掛け針３本を有するフックを、リング状金具にて固定、さらに水中でクリップフックの重さをカバーするフロートを、クリップ本体内側に取り付け、そしてオトリ魚の尾の付け根の色に合わせてペイント、もしくはメッキしステンレス材にて加工したクリップフック。
【発明の詳細な説明】
【技術分野】
【０００１】  本発明はフック（釣り針）を取り付けたクリップを、オトリ魚に装着することである。
【背景技術】
【０００２】  これまで、オトリ魚を用いたイカ釣りの方法としてはヤエンなどがあるが、ヤエンは、イカがオトリ魚を触手で抱き、しばらくして食べるのに夢中になっているであろう数分後に、タイミングを見計らってヤエンという仕掛けを、ラインに滑らせてイカに針を引っかける釣りである。【０００３】  しかし、タイミングが早かったり、逆に遅かったり、また、針がうまくイカにかからずにばらしてしまう事が多く、初心者には難しい釣り方のように思われる。【０００４】  そこで本考案は、誰でも素早く簡単に、そして確実にイカなどを釣ることができる仕掛けを提供する。
【先行技術文献】
【特許文献】
【０００５】
【特許文献１】  特開２０１０−２００７４７
【発明の概要】
【発明が解決しようとする課題】
【０００６】  解決しようとする課題は、これまでのオトリ魚を使った釣り方では、イカなどが誰にでも簡単に確実に釣る事が出来ない釣り方であった点である。
【課題を解決するための手段】
【０００７】  本考案は、クリップを利用して、オトリ魚そのものにフック（釣り針）を装着することにある。
【発明の効果】
【０００８】  本考案は、クリップそのものではオトリ魚を傷つけず、弱らせず、そして素早く脱着が出来る点にある。また、クリップはオトリ魚に密着させるので、オトリ魚の色に合わせてペイントすればクリップ、フックがオトリ魚と一体化し、釣果もよくなると思われる。さらにイカがオトリ魚を抱いた場合、ヤエン釣りではヤエンを投入するまでの数分の間に、イカがオトリ魚を食べるので、オトリ魚を傷つけてしまうが、本考案においては、オトリ魚の頭部を噛み切る前に、早く合わせて釣る事が出来るので、オトリ魚を傷つけることが少なくなる。さらに、フック（釣り針）の使用により、青物魚、スズキなどを釣り上げることも可能なものにした。
【図面の簡単な説明】
【０００９】
【図１】図１はクリップにフック（釣り針）の取り付けを示した図面である。
【図２】図２はオトリ魚にクリップフックを装着する操作を表した図面である。
【図３】図３はオトリ魚にクリップフックを装着，および仕掛け全体を表した図面である。
【図４】図４はクリップフックを、後方から見た図面である。
【発明を実施するための形態】
【００１０】  クリップ本体の左右のクリップレバーに、片側およそ１２０度以内に、かけ針３本を有するフックをそれぞれ取り付けた。そして、クリップの重さでオトリ魚の泳ぎが不自然にならないよう、クリップ本体内側にフロート１５を取り付けた。
【実施例１】
【００１１】［図１］のフック付きクリップは、［図２］のように、左右のフックをそれぞれ上方向に回転させ、指で両側のフック２の背を摘まんではさみ口７を開く。そのまま［図３］の要領でオトリ魚Ｂの尾ひれの付け根の部分に挟む。２又ライン１４を裏表２か所のフックアイ８に繋ぎ、また２又ライン１４の結び目１３とライン９を結ぶ。ライン９に針止め１２によりスライド制限されたシングルフック１０をオトリ魚Ｂの鼻にかける。以上の仕掛けにより、イカなどが触手でオトリ魚の胴体を引っ張った場合、釣り竿に繋がれた道糸で、オトリ魚前方に強く引けば、フック２よってイカの触手を引っかけることができる。
【産業上の利用の可能性】
本来、文房具として利用されているサイドレバークリップを、釣り針と合わせることで、釣り具として利用出来るものとした。
【符号の説明】
【００１２】１    クリップ本体
２    フック（釣り針）
３    クリップレバー
４    止め金具
５    クリップレバーのツメ
６    斜めにカット
７    はさみ口
８    フックアイ
９    ライン
１０  シングルフック
１１  スプリットリング
１２  シングルフック止めゴム
１３  結び目
１４  ２又ライン
１５  フロート
【図１】
2013183728.tif 000003
【図２】
2013183728.tif 000004
【図３】
2013183728.tif 000005
【図４】
2013183728.tif 000006
(57)【要約】【課題】  一般家庭の食品漬物は、容器にポリ袋を敷きその中に漬け込み、袋口を紐、輪ゴム等で閉じ、落とし蓋を被せ、重石で鎮圧して漬け込むのが一般的である。その漬物を、重石、落とし蓋をはずし、口紐を解き、取り出し密閉する。この作業には、開封、閉じの手間や、漬け汁の飛散が伴い衛生上等の課題があった。【手段】  漬物用の落とし蓋に、漬物取り出しキャップを組み合わせ、おとし蓋の機能と、取り出し口を一体化する。  漬物用ビニール袋を、落とし蓋にねじ締め込みで固定し、ねじ式キャップの取り出し口を設け、漬物の取り出しの開閉を容易にしたものである。【選択図】図４
2013183729.tif 000002
【特許請求の範囲】
【請求項１】
漬物用の落とし蓋に、ポリ袋締め込みめねじ（２）と、ポリ袋締め込みおねじ（３）で、ポリ袋を装着、固定して、キャップ受けめねじ（４）と、キャップおねじ（６）で開閉する、漬物の取り出し口つき落とし蓋
【発明の詳細な説明】
【技術分野】
【０００１】  本発明は、食品漬物のおとし蓋に、漬物を取り出す開閉口を組み込んだものである。
【背景技術】
【０００２】  従来、一般家庭での漬物は、漬物用の容器にポリ袋を中敷き、その中に漬け込み、袋口を紐、輪ゴム等で閉じ、おとし蓋を被せ重石で圧力をかけ漬け込むのが一般的である。
これを、家庭では日常小出しに消費するが、その都度、重石をおろし、おとし蓋をはずして、袋口の紐、輪ゴム等を解くが、その閉じ紐がポリ袋に複雑に絡み、漬け汁が飛散して、取り出す毎に多くの手間が必要であった。
【発明の概要】
【０００３】  従来、漬物を取り出すには、重石をおろし、おとし蓋を取りはずし、袋口の閉じ紐を解くなどの手間や、漬物汁が飛散し衛生的な問題があった。
この課題の省力化と利便性をはかる漬物用おとし蓋の構造を発明したものである。
【課題を解決するための手段】
【０００４】（イ）漬物は、容器にポリ袋を中敷きにして漬け込み、その袋口を、ポリ袋締め込みめねじ（２）の中から、おとし蓋支えつば（１）に通し、つばの平面にヒダ折に広げ、ポリ袋締め込みおねじ（３）で締め込み、取り出し口を装置する手段
（ロ）また、漬物容器より２〜３割大のポリ袋を用いて、ポリ袋の内側から、ポリ袋締め込みめねじ（２）をあて、外側からポリ袋締め込みおねじ（３）で、ポリ袋の平面をはさみ込み固定する。この仕組みの容器に従来の要領で、ポリ袋に漬け込み、袋口を紐などで完全に閉じ、容器の内脇にたたみ込む、この構造からキャップ受けめねじ（６）内に張り出したポリ袋平面の部分を切り取って、漬物の取り出し口とする。
（ハ）この、袋口を固定する仕組みと、ポリ袋の平面を固定する仕組みの２通りの構造は、ともに締め付けるめねじとおねじのねじ山は高く、深い溝で、ポリ袋面を、強くねじ溝に押し込み密着、固定する。
この構造によって、おとし蓋とポリ袋が一体化し、キャップ受けめねじ（６）と、キャップおねじ（８）で、密閉される。その構造に重石をかけ漬け込み、漬物の取り出しは、キャップおねじ（８）から、キャップ取っ手（９）で開閉する。
以上の構成による、取り出し口を装備した漬物用おとし蓋である。
【発明の効果】
【０００５】  本発明によって、漬物おとし蓋と、取り出し口が一体のキャップ取っ手（９）構造から、日常の取り出しは、容易で省力化され、漬け汁の飛散も防止され衛生的で管理に便利である。
【図面の簡単な説明】
【０００６】
【図１】  本発明の組み込むおとし蓋構造の斜視図
【図２】  本発明の袋口に組み込む斜視図
【図３】  本発明の袋平面に組み込む斜視図
【図４】  本発明の使用状態を示す斜視図
【発明を実施するための形態】
【０００７】以下  本発明の実施の形態を説明する。
漬物用ポリ袋を、おとし蓋つば（７）に組み合わせ、取り出し口のキャップ取っ手（９）を設けた構造である。
（イ）  ポリ袋口面を、おとし蓋支えつば（１）の中に通し、ポリ袋口をヒダ（５）模様に折り込み、ポリ袋締め込みめねじ（２）とポリ袋締め込みおねじ（３）で、ねじ溝で固定する手法、
（ロ）  または、ポリ袋の中の側面に、ポリ袋締め込みめねじ（２）をあて、その外側からポリ袋締め込みおねじ（３）で、ねじ溝に密着させて締め込み固定する    この構造で、キャップ受けめねじ（６）と、キャップおねじ（８）内の張り出しの平面ポリ袋面を切り取り、漬物用取り出し口構造のおとし蓋である。
本発明は、従来、難点であった漬物の取り出しの開、閉時の、紐、輪ゴム等の絡みや、漬け汁の飛散などの手間は省け、簡便でなる。
【符号の説明】
【０００８】  １  落とし蓋支えつば
２  ポリ袋締め込みめねじ
３  ポリ袋締め込みおねじ
４  袋口
５  ポリ袋口ヒダ
６  キャップ受けめねじ
７  落とし蓋つば
８  キャップおねじ
９  キャップ取手
１０  ポリ袋
１１  漬物容器
【図１】
2013183729.tif 000003
【図２】
2013183729.tif 000004
【図３】
2013183729.tif 000005
【図４】
2013183729.tif 000006
(57)【要約】【課題】動物の膣内を短時間の間、酸性環境またはアルカリ環境に保持して、動物の雌雄の産み分けを可能とする。【解決手段】動物の膣内をｐＨ調整された電解生成水を注入する方法であり、電解水においては保存性に優れた隔膜（イオン交換膜）を有する三室型電解生成装置で生成される無塩電解生成水とする。無塩電解生成水を膣内に注入するため作成された挿入用ホースと潤滑液を使用し、膣内を酸性環境またはアルカリ環境に形成してこの環境を短時間の間保持することにより、動物の雌雄の産み分けを可能とする。【選択図】図１
2013183730.tif 000002
【特許請求の範囲】
【請求項１】
本発明は、動物の雌雄産み分けのため膣内にｐＨ調整を行った無塩電解生成水をホースと潤滑液を使用して注入する雌雄産み分け方法。
【請求項２】
請求項１に記載のホースにおいて、無塩電解生成水を注入するための塩化ビニール製のホースであり、無塩電解生成水が万遍なく膣内に届くよう直径４ｍｍの穴を先端から３ｃｍ間隔で１０個開け膣の奥に水が到達するようホースの先端はアクリル材で塞いだ後に直径３ｍｍの穴を開けたものである。
【請求項３】
請求項１に記載の潤滑液において、円滑に膣内へホースを挿入させるため無塩生成電解水を使用して作成した潤滑液を使用する挿入方法。
【請求項４】
請求項１に記載の膣内に注入する電解水においては、無塩電解生成水として、無塩電解生成酸性水または無塩電解生成アルカリ水を雌雄希望する性別に応じ採用して、膣内を酸性環境またはアルカリ環境に保持するための雌雄産み分け方法。
【発明の詳細な説明】
【技術分野】
【０００１】この発明は、動物の雌雄産み分けに関する。
【背景技術】
【０００２】動物の雌雄を産み分ける方法としては、動物の雄の精液を遠心分離機にかけます。分離機でＸ精子とＹ精子に分けてそこで採取した精子を選択して卵子を子宮の中に入れる人工授精や、動物に特殊のホルモン剤を注射する方法や、クローンを生産する方法等がある。
【先行技術文献】
【特許文献】
【０００３】
【特許文献１】特開２００２−１１２６６５号公報
【発明の概要】
【発明が解決しようとする課題】
【０００４】動物の精子においては、Ｘ精子とＹ精子によって、酸性のｐＨ領域で活発に活動する精子（Ｘ精子）と、アルカリ性のｐＨ領域で活発に活動する精子（Ｙ精子）とがあり、卵子の受精に拘わる環境を、いずれかの精子が活発に活動できる状態に形成することで雌雄の産み分けが可能であるとされている。しかしながらこれまで酸性とアルカリ性それぞれのｐＨ領域を動物の膣内で効果的に保持する為の方法がなかった。【０００５】従ってこの発明では、人工授精やクローン技術などは用いずに卵子の受精にかかわる動物の膣内を一定のｐＨに保持することで雌雄の産み分けをする方法を提供することを課題とする。
【課題を解決するための手段】
【０００６】本発明は、動物の雌雄産み分けのため膣内にｐＨ調整を行った無塩電解生成水を注入するためのものである。
無塩電解生成水を注入するため塩化ビニール製のホースに直径４ｍｍの穴を先端から３ｃｍ間隔で１０個開け膣の奥に水が到達するようホースの先端はアクリル材で塞いだ後に直径３ｍｍの穴を開ける。円滑に膣内へとホースを挿入させるため無塩生成電解水を使用して作成した潤滑液をホース外周にまんべんなく付着させる。潤滑液は雌雄希望する性別に応じて酸性もしくはアルカリ性の液体を使用する。【０００７】使用する無塩電解生成水は、無塩電解生成酸性水または無塩電解生成アルカリ水を雌雄希望する性別に応じて使用して、膣内を酸性環境またはアルカリ環境に保持することができる。また、無塩電解生成水としては、電解槽が２種類のイオン交換膜で仕切られた三室型電解装置を使用することにより生成されるものが塩分を含まず保存性も良いため好適なものとして採用する。
【発明の効果】
【０００８】本発明によれば、動物の卵子の受精に拘わる膣内を雌雄産み分けの希望に応じたｐＨ領域に所定時間保持することができるため、この環境の下で、酸性のｐＨ領域で活発に活動する精子（Ｘ精子）と、アルカリ性のｐＨ領域で活発に活動する精子（Ｙ精子）の活動を活性化させることができる。このため、本発明によって使用する無塩電解生成水と潤滑液、そして挿入用ホースを使用すれば、動物の雌雄の産み分けができる確率が極めて高くなる。【０００９】本発明におけるｐＨ調整方法で採用する無塩電解生成水は、無塩電解生成酸性水または無塩電解生成アルカリ水であり、これらの無塩電解生成水は、医療器具等の機器類、人体や動物等の傷口や口腔内を殺菌する殺菌水として。また食材や食器、調理器具などを洗浄する洗浄水として使用されていて、動物に対して悪影響がないことはすでに確認済みである。
【図面の簡単な説明】
【００１０】
【図１】この発明の一実施形態を示す斜視図である。
【発明を実施するための形態】
【００１１】この発明の一実施形態を、図１に示す。
本商品は、長さ４５ｃｍ、直径１５ｍｍ、内径１２ｍｍの塩化ビニール製のホースである。挿入時に馬体を傷つけないためホースの先端にアクリル材をドーム状に加工した物を装着した。水を通すため、アクリルの先端に直径３ｍｍの穴を１つ、ホースの周りに直径４ｍｍの穴を１０個の計１１個のあけている物である。ホースの先端から３０ｃｍの部分に青い線、３５ｃｍの部分に赤い線を引き膣の奥まで挿入し過ぎない為の目安とした。
【００１２】本発明は、ｐＨ調整された無塩電解生成水を馬の膣内に注入することで膣内を雌雄の産み分けが可能な環境に形成することを意図しているものである。本発明に係る電解生成水のｐＨ調整方法を実施するに当たっては、希望する雌雄の産み分けに応じて、無塩電解酸性水または無塩電解アルカリ水を選択して使い分ける。
【００１３】無塩電解生成水は、隔膜（イオン交換膜）を有する三室型電解生成装置で生成されるもので、食塩（Ｎａｃｌ）やその他の電解質又は固体電解質は中間室に充填し、電気分解は中間室で行われる。三室型電解システムでは、原水に食塩等の電解質を添加することなく、電解槽の＋（プラス）極室にて無塩電解酸性水が生成され、かつ、−（マイナス）極室にて無塩電解アルカリ水が生成される。
【００１４】膣内または子宮内が酸性環境またはアルカリ環境を保持している間に、交尾をすれば、酸性環境下に強いＸ精子もしくはアルカリ環境下に強いＹ精子が活発となる。活発となった精子により卵子の受精が可能となって、雌雄の産み分けができる確率が高くなる。
【００１５】なお、本発明に係る無塩電解生成水は、中性とは大きく離れたｐＨ値のものであるが、これらの無塩電解生成水は体内で有機物に触れることにより弱酸性域または弱アルカリ域のものになるため、体内に放置して吸収させても何ら影響がない。
【００１６】「実施形態の効果」
この実施形態によれば、膣内壁に万遍なく無塩電解生成水を噴射することができるため、挿入から時間をかけず電解生成水を注入させた後にホースを引き抜くことがでる。
【図１】
2013183730.tif 000003
(57)【要約】【課題】従来は産業廃棄物として破棄する事しか考えていなかったのでこれを再利用する事によって破棄する為の膨大な費用も節約出来ると同時に食品業界にも従来にはなかったすべての食品や調味料にも利用可能な新しい食材を提供出来る。【解決の手段】産業廃棄物としていたワインや果物の搾り粕を一度冷凍保存したり、利用に応じて天日乾燥又は機械的乾燥して保管して置き、必要に応じて取り出し多少の水分を加えて軽くミキサーにかけた後に小枝や種の通過しない程度の網目を通して取り除き、残ったペースト状の部分だけを乾燥させて、綺麗な微粉末に仕上げる事で従来には無かった食材が利用出来る。【特許請求の範囲】
【請求項１】
産業廃物としていたワインや各種果物の搾り粕はすぐ悪臭が出る為、生の侭ゆるやかなミキサーにかけて小枝や種を分離差せた後にペースト状になったら種を通さない程の網を通過させる事でペースト状になった搾り粕だけが利用できる、これを天日乾燥又は、機械的電気乾燥して保管して置き、利用度に応じて粉末に仕上げた搾り粕を味噌や醤油などすべての食品に漬け込んだり、投入する為の従来にはなかった食材の製造方法。
【発明の詳細な説明】
【技術分野】
【０００１】この発明は通常廃棄処分されているワインや各種果物の搾り粕を再利用して、従来にはなかった食材を作る為の製造方法に関するものである。
【背景】
【０００２】従来、ワインの搾り粕や各種果物の搾り粕の一部は堆肥にしたり多少は家畜の餌にしていたが他にあまり使い道がなく廃棄する事が大部分であった。
【発明の開示】
【発明が解決しようとする課題】
【０００３】これには、次のような欠点があった。
（イ）ワインの搾り粕や各種果物の搾り粕はほうって置くとすぐ悪臭が出る為、その日のうちに廃棄するしかなかった。
（ロ）これらはシーズンになると膨大な量が廃棄されて居るが、公共機関の処理場もなく従って産業廃棄物として処分しているのが実情である。
（ハ）故に各ワインメーカーは多大の費用をかけても廃棄処分するか、又は、各自の畑を掘って穴に埋めているのが実情である
本発明は、これらの欠点を解消するためになされたものである。
【課題を解決する為の手段】
【０００４】産業廃棄物としていたワインや各種果物の搾り粕を生の侭ゆるやかなミキサーにかけてペースト状にして種や小枝を分離させるために小さな目の網を通す事でペースト状の搾り粕だけを利用出来る、この搾り粕を天日乾燥又は機械的電気乾燥して保管しておいて利用度に応じて粉末に仕上げる。
以上を特徴とした各種果物の搾り粕を再利用した食材の製造方法。
【発明の効果】
【０００５】ワインの搾り粕や各種果物の絞り粕は、ビタミンやミネラルも多く含まれているので、すべて再利用することによって、産業廃棄物として処分される為の膨大な費用を節約出来ると同時に食品業界にも大きな貢献ができる。
【発明を実施する為の最良の形態】
【０００６】以下、本発明の実施の形態について説明する。
（イ）ワインや各種果物の搾り粕はシーズンになると膨大の量が出るので一旦冷凍保存するか、若しくは生の侭、種や小枝を取り除く為にゆるやかなミキサーに掛けて種や小枝を分離させる為には種や小枝を通過させない程の小さな目の網を利用した後に天日乾燥又は電機乾燥して保管する。
（ロ）次に、各種食品に食材として利用する為にはほとんどが微粉末か通常の粉末にした物を使う為、収穫時の時点での上記の作業が困難な場合は其の場で一旦天日乾燥か、電機乾燥して保存して置き利用に応じて水分を加えた後にミキサーに掛けて種や小枝を通さない小さな目の網のふるいを通す事でペースト状になった搾り粕だけが下に落ちるのでこれを利用する。
（ハ）次に、ペースト状になったものを其のまま使う場合はこの時点で十分ミキサーにかけて微粉末にする事で利用可能となる。
（ニ）さらに、種や小枝の入っていないペースト状になったものを其の侭冷凍保存するか、若しくは天日乾燥するか又は電気乾燥する事で必要に応じて利用できる。
尚上記の外、シーズンには大量の搾り粕が出てもその場で種や小枝を取り除く事が出来ればこれを利用度に応じた粉末にする事で量的にも少なくして保管が可能となる。
(57)【要約】      （修正有）【課題】省スペースで、給水も日照も満遍なく確保でき、移動も容易で、インテリアとしても利用できる立体的な鉢を提供する。【解決手段】縦長の円筒幹部２に複数の枝分れ分岐ポット受け３を設け、そこに真上を向いたポット４を自由に装着脱着できる立体鉢１であり、円筒幹部２の内側を多数の補水穴８を備えた給水仕切り壁７によって、給水部屋６と土入れ部屋５に分かれ、土の出し入れや、満遍のない給水を可能にした。【選択図】図１
2013183733.tif 000002
【特許請求の範囲】
【請求項１】
円筒幹部に複数の枝分れ分岐ポット受けを設けた立体鉢で、円筒幹部の外周壁面に、複数の穴を空け、その穴にＬボ様の枝分れ分岐ポット受けを、開口部が真上を向く様に設け、この枝分れ分岐ポット受けの中に、自由に出し入れできる脱着ポットを装着し、円筒幹部の底端縁に複数の浅い切り欠きを設け、切り欠きの少し上に昇った位置に底網を設け、円筒幹部の内部空間を一部分仕切るように、円筒幹部内壁に一面を接地させて、竹を縦割りにした様な給水仕切壁を、円筒幹部開口縁から底網近くの少しだけ上に昇った位置まで設けて給水部屋を形成し、給水部屋の底端は閉じられた給水部屋底面を成し、給水仕切壁の壁面に多数の小さな補水穴を設け、給水仕切壁を挟んだ他方の空間を土入れ部屋として、円筒幹部の底面には水受け皿を置くことを特徴とする複数のポットを飾れる立体鉢。
【発明の詳細な説明】
【技術分野】
【０００１】  本発明は、植木鉢を縦長にして、複数の分岐筒で各花等の植え替え、管理ができる、複数のポットを飾れる立体鉢に関するものである。
【背景技術】
【０００２】  従来、植木や花等を立体的に飾るものとしては、植木鉢を立体的に配置する構造物が多かった。又筒状のものに穴をあけ、そこに直接花を差すようなものも知られている。
【発明の概要】
【発明が解決しようとする課題】
【０００３】  複数の植木鉢を置くには、広いスペースが必要です。階段式の植木鉢用棚は、鉢を置くにしても大型になり、移動も困難で据え置型なります。インテリヤとしては、スペースの点で、不向きの場合が多い。
本発明は以上の問題点を解決するものである。
【課題を解決するための手段】
【０００４】  円筒幹部に複数の枝分れ分岐ポット受けを設けた立体鉢である。円筒幹部の外周壁面に、複数の穴を空け、その穴にＬボ様の枝分れ分岐ポット受けを、開口部が真上を向く様に設け、この枝分れ分岐ポット受けの中に、自由に出し入れできる脱着ポットを装着する。円筒幹部の底端縁に複数の浅い切り欠きを設け、切り欠きの少し上に昇った位置に底網を設け、円筒幹部の内部空間を一部分仕切るように、円筒幹部内壁に一面を接地させて、竹を縦割りにした様な給水仕切壁を、円筒幹部開口縁から底網近くの少しだけ上に昇った位置まで設けて給水部屋を形成し、給水部屋の底端は閉じられた給水部屋底面を成し、給水仕切壁の壁面に多数の小さな補水穴を設け、給水仕切壁を挟んだ他方の空間を土入れ部屋とする。円筒幹部の底には水受け皿を置く。
以上を特徴とする複数のポットを飾れる立体鉢である。
【発明の効果】
【０００５】  従来の鉢が複数で占領する平面スペースを、鉢一つ分の平面スペースで、普段遊んでいる立体空間を利用する事により、複数の鉢に匹敵する収容能力がある。
複数の枝分かれ分岐を作り、その上に脱着可能なポットを設けることにより、枯れた植物等の植え替えが単独で出来き、変化あるバリエーションやコーディネートを手軽に楽しめる。
本体に給水専用の部屋を設けることにより、まんべんなく補水ができ、余分な水分は下の水受け皿に流れる。
本体は日照時間を確保するために屋外に置いたり、インテリヤとしての屋内に置いたり、必要に応じて移動が簡単におこなえる。
【図面の簡単な説明】
【０００６】
【図１】  本発明の斜視図
【発明を実施するための形態】
【０００７】  以下本発明の実施の形態を説明する。
（イ）円筒幹部（２）に複数の枝分れ分岐ポット受け（３）を設けた立体鉢である。
（ロ）円筒幹部（２）の外周壁面に、複数の穴を空け、その穴にＬボ様の枝分れ分岐ポット受け（３）を開口部が真上を向く様に設ける。
（ハ）枝分れ分岐ポット受け（３）の中に、自由に出し入れできる脱着ポット（４）を装着する。
（ニ）円筒幹部（２）の底端縁に複数の浅い切り欠き（１２）を設け、切り欠き（１２）の少し上に昇った位置に底網（１１）を設ける。
（ホ）円筒幹部（２）の内部空間を一部分仕切るように、円筒幹部内壁に一面を接地させて、竹を縦割りにした様な給水仕切壁（７）を、円筒幹部開口縁（９）から底網（１１）近くの少しだけ上に昇った位置まで設けて給水部屋（６）を形成し、給水部屋（６）の底端は閉じられた給水部屋底面（１０）を成し、給水仕切壁（７）の壁面に多数の小さな補水穴（８）を設け、給水仕切壁（７）を挟んだ他方の空間を土入れ部屋（５）とする。
（ヘ）円筒幹部（２）の底面には複数のポットを飾れる立体鉢（１）が自立できかつ、水を受ける水受け皿（１３）を置く。
本発明は以上のような構造である。
本発明を使用するときは、複数のポットを飾れる立体鉢（１）の土入れ部屋（５）に土を入れる。この時水を土入れ部屋（５）の上から十分与える。
脱着ポット（４）を枝分れ分岐ポット受け（３）に付けたまま花・植木等を植える。この時水を脱着ポット（４）の上から十分与える。
給水部屋（６）への給水は土の乾き具合により行う。
花・植木等の植替えは、脱着ポット（４）を取外し空にして元に戻す。その後（ハ）を繰り返す。
屋内に置く場合は、水受け皿（１３）を底面に置くが、円筒幹部底端縁に切り欠き（１２）が設けてあるので、水受け皿（１３）の底面との間に適度な空間があり、水が溜まって根腐されの原因になる心配もない。
【符号の説明】
【０００８】１複数のポットを飾れる立体鉢、２円筒幹部、３枝分れ分岐ポット受け、４脱着ポット
５土入れ部屋、６給水部屋、７給水仕切り壁、８補水穴、９円筒幹部開口縁
１０給水部屋底面、１１底網、１２切り欠き、１３水受け皿
【図１】
2013183733.tif 000003